(57)【要約】      （修正有）【課題】基板保持部に対して基板を垂直に取り付ける場合に、上方からの着脱作業を可能にするとともに、部品の実装面積を損なうことなく、しかもガタが発生しない基板支持構造を提供する。【解決手段】メイン基板の面上または上方にメイン基板と平行に配設されたフレーム１に対してサブ基板２の左右端部を保持しながら垂直にサブ基板２を取り付けるプリント基板支持構造において、サブ基板２の一方の面の下端近くに係合穴２ａを形成するとともに、該係合穴２ａの前方に前後動可能なカンチレバー５を突設し、カンチレバー５の先端に係合穴２ａと係合可能な爪６を前後動自在に支持しておき、前記爪６の背面下方の位置のフレーム１にビス８を螺着して、該ビス８の頭部を前記爪６の背面の傾斜面７に当接して爪６を前進させて前記係合穴２ａに係合させる。【選択図】図４
2005353941.tif 000002
【特許請求の範囲】
【請求項１】
樹脂成形されたフレーム上に垂直に保持した基板の下端近傍に、フレームと一体構造のカンチレバーを基板と平行に配設し、該カンチレバーの先端近傍にビスを当接して押圧することにより、カンチレバーの先端を基板に係合または押圧して、基板をフレームに固定することを特徴とする基板支持構造。
【請求項２】
樹脂一体成形のフレーム上に基板の端部を抱持し、基板の下端近くに基板およびフレームと平行にフレームと一体構造のカンチレバーを配設し、該カンチレバーの先端近傍の外側のフレームにビスを螺合し、該ビスの頭部をカンチレバーの先端近傍に当接して押圧することにより、カンチレバーの先端を基板に押圧、または基板形成されている係合部に係合させて、基板をフレームに固定することを特徴とする基板支持構造。
【請求項３】
樹脂一体成形のフレーム上に基板を垂直方向に固定する基板支持構造であって、
フレーム上に形成されて基板の下端側の左右端部を抱持する枠部と、
基板の下端近くに基板およびフレームと平行に配設されるとともに基端部がフレームに一体支持されたカンチレバーと、
該カンチレバーの先端近傍の基板に対して背面側に形成されて上端表面が基板に近づき下端表面が基板から離れる方向に傾斜した傾斜面と、
前記カンチレバーの先端側の基板に対向する位置に形成されて係合方向を下方にした爪と、
基板の前記爪に対応する位置に形成された係合穴と、
前記傾斜面の前下方のフレームに垂直方向に形成された雌ねじ穴と、
該雌ねじ穴に螺合されて頭部側面が前記傾斜面に当接して基板側へ押圧するビスと、
を備え、基板の下端側の左右端部を枠部により抱持した状態で前記雌ねじ穴に前記ビスを螺合することにより、ビス頭部が前記傾斜面を押圧し基板側へ前進させて前記爪が基板の係合穴に係合して基板をフレームに固定することを特徴とする基板支持構造。
【請求項４】
メイン基板の面上または上方にメイン基板と平行に配設されたフレームに対してサブ基板の下部左右端部を保持しながら垂直にサブ基板を取り付ける基板支持構造において、
フレーム上に形成されてサブ基板の下端側の左右端部を抱持する枠部と、
サブ基板の下端近くにサブ基板およびフレームと平行に配設されるとともに基端部がフレームに一体支持されたカンチレバーと、
該カンチレバーの先端のサブ基板に対して背面側に形成されて上端表面がサブ基板に近づき下端表面がサブ基板から離れる方向に傾斜した傾斜面と、
前記カンチレバーの先端側のサブ基板に対向する位置に形成されて係合方向を下方にした爪と、
サブ基板の前記爪に対応する位置に形成された係合穴と、
前記傾斜面の前下方のフレームに垂直方向に形成された雌ねじ穴と、
該雌ねじ穴に螺合されて頭部側面が前記傾斜面に当接してサブ基板側へ押圧するビスと、
を備え、サブ基板の下端側の左右端部を枠部により抱持した状態で前記雌ねじ穴に前記ビスを螺合することにより、ビス頭部が前記傾斜面を押圧しサブ基板側へ前進させて前記爪がサブ基板の係合穴に係合してサブ基板をフレームに固定することを特徴とする基板支持構造。
【請求項５】
請求項３または４に記載の基板支持構造において、
前記係合穴を非貫通の穴または溝としたことを特徴とする基板支持構造。
【請求項６】
請求項３乃至５のいずれかに記載の基板支持構造において、
前記ビスとして、頭部側面が前記傾斜面の傾斜角度と等しい形状をしたサラビスを用いたことを特徴とする基板支持構造。
【請求項７】
請求項１乃至６のいずれかに記載の基板支持構造において、
前記カンチレバーの断面形状を縦長形状としたことを特徴とする基板支持構造。
【請求項８】
基板保持部と、基板を係合、または押圧するカンチレバーと、カンチレバーを押圧するビスを止めるビス孔と、カードスロット保持部とを有するホルダーを樹脂一体成形したことを特徴とするカードスロットホルダー。
【請求項９】
基板保持部と、基板を係合、または押圧するために基板と平行に配設されたカンチレバーと、カンチレバーの先端近傍に当接して押圧するためのビスを止めるビス孔と、カードスロット保持部とを有するホルダーを樹脂一体成形したことを特徴とするカードスロットホルダー。
【請求項１０】
樹脂一体成形のフレーム上に基板の端部を抱持し、基板の下端近傍に基板およびフレームと平行にフレームと一体構造のカンチレバーを配設し、該カンチレバーの先端近傍の外側のフレームにビスを螺合し、該ビスの頭部をカンチレバーの先端近傍に当接して押圧することにより、カンチレバーの先端を基板に押圧、または基板に形成されている係合部に係合させて、基板をフレームに固定するとともに、フレーム上にカードスロット保持部を有するホルダーを樹脂一体成形したことを特徴とするカードスロットホルダー。
【請求項１１】
樹脂一体成形のフレーム上に形成されて基板の端部を抱持する枠部と、
基板の下端近くに基板およびフレームと平行に配設されるとともに基端部がフレームに一体支持されたカンチレバーと、
該カンチレバーの先端近傍の基板に対して背面側に形成されて上端表面が基板に近づき下端表面が基板から離れる方向に傾斜した傾斜面と、
前記カンチレバーの先端側の基板に対向する位置に形成されて係合方向を下方にした爪と、
基板の前記爪に対応する位置に形成された係合穴と、
前記傾斜面の前下方のフレームに垂直方向に形成された雌ねじ穴と、
該雌ねじ穴に螺合されて頭部側面が前記傾斜面に当接して基板側へ押圧するビスと、
フレーム上にフレームと平行に一体成形されたカードスロット保持部を有するホルダーと、
を備え、基板の下端側の左右端部を枠部により抱持した状態で前記雌ねじ穴に前記ビスを螺合することにより、ビス頭部が前記傾斜面を押圧し基板側へ前進させて前記爪が基板の係合穴に係合して基板をフレームに固定することを特徴とするカードスロットホルダー。
【請求項１２】
メイン基板の面上または上方にメイン基板と平行に配設されたフレーム上に形成されてサブ基板の端部を抱持する枠部と、
サブ基板の下端近くにサブ基板およびフレームと平行に配設されるとともに基端部がフレームに一体支持されたカンチレバーと、
該カンチレバーの先端のサブ基板に対して背面側に形成されて上端表面がサブ基板に近づき下端表面がサブ基板から離れる方向に傾斜した傾斜面と、
前記カンチレバーの先端側のサブ基板に対向する位置に形成されて係合方向を下方にした爪と、
サブ基板の前記爪に対応する位置に形成された係合穴と、
前記傾斜面の前下方のフレームに垂直方向に形成された雌ねじ穴と、
該雌ねじ穴に螺合されて頭部側面が前記傾斜面に当接してサブ基板側へ押圧するビスと、
フレーム上にフレームと平行に一体成形されたカードスロット保持部を有するホルダーと、
を備え、サブ基板の下端側の左右端部を枠部により抱持した状態で前記雌ねじ穴に前記ビスを螺合することにより、ビス頭部が前記傾斜面を押圧しサブ基板側へ前進させて前記爪がサブ基板の係合穴に係合してサブ基板をフレームに固定することを特徴とするカードスロットホルダー。
【請求項１３】
請求項１１または１２に記載のカードスロットホルダーにおいて、
前記係合穴を非貫通の穴、または溝としたことを特徴とするカードスロットホルダー。
【請求項１４】
請求項１１乃至１３のいずれかに記載のカードスロットホルダーにおいて、
前記ビスとして、頭部側面が前記傾斜面の傾斜角度と等しい形状をしたサラビスを用いたことを特徴とするカードスロットホルダー。
【請求項１５】
請求項８乃至１４のいずれかに記載のカードスロットホルダーにおいて、
前記カンチレバーの断面形状を縦長形状としたことを特徴とするカードスロットホルダー。
【請求項１６】
請求項８乃至１５のいずれかに記載のカードスロットホルダーにおいて、
前記カードスロット保持部に保持されるカードスロットのカード挿抜方向をフレームと平行にしたことを特徴とするカードスロットホルダー。
【請求項１７】
請求項１６に記載のカードスロットホルダーにおいて、
前記カードスロットに近接する基板上にカードの挿抜を検出するスイッチを配設したことを特徴とするカードスロットホルダー。
【請求項１８】
請求項８乃至１７のいずれかに記載のカードスロットホルダーを、薄型装置本体薄手方向とカードスロットの薄手方向とを合わせるように収納するとともに、カード挿入口を本体端面に開口させたことを特徴とする薄型装置。
【発明の詳細な説明】
【技術分野】
【０００１】
本発明は、プリント基板（以下、基板と言う）をフレームに対して垂直方向に支持する支持構造、およびそのフレームにカードスロットを搭載したカードスロットホルダー、およびそのカードスロットホルダーを収納する薄型装置に関する。
【背景技術】
【０００２】
従来、電子回路を有する電子機器は、通常、電子部品を基板に実装して電子回路が構成されている。基板が収納されるスペースは、電子機器に対して小型化、省スペースの要求があるため、限られている。そのため、基板に実装される電子部品についても、可能な限り、稠密に配置されている。その結果、特定の電子部品については、その電子部品の取り付け方向の制約から、フレームに対して基板を垂直に取り付けて、その基板上に電子部品を実装する場合があった。フレーム上のメイン基板に対するサブ基板の取り付け方としては、従来、図９〜図１２のようになされていた。
【０００３】
図９は、サブ基板２１の左右両側を断面コ字型のガイド２２，２３により支持するとともに、サブ基板２１の直近にボス２４を立設し、そのボス２４にワッシャ２５を挿通してビス２６をねじ込み、そのワッシャ２５により、サブ基板２１の上端を押圧するようにしている。図１０は、図９のボス２４の代わりに、爪２６を立設して、サブ基板２１の上端に爪２６を係合するようしている。図１１は、図１０の爪２６よりも短い爪２７を立設するとともに、サブ基板２１の下部に孔２８を開けておき、その孔２８に爪２７を係合するようしている。
【０００４】
図１２は、一方のガイド２９の片面側をサブ基板２１の中央寄りに延長するとともに、その位置に対応するサブ基板２１にも孔を形成しておき、その孔の他面側からビス３０を挿入して、延長部分にねじ込むことでサブ基板２１を固定している。また、カードスロットなどのメカの可動部分の移動やカード自体の移動を検出する検出部をサブ基板に搭載して構成する場合もあり、その場合にはメカの可動部分やカードの移動経路とサブ基板上の検出部との位置合わせが重要となり、メカとサブ基板相互間の精度の高い取付け作業が必要となる。また、メカとサブ基板相互間の位置がズレたり、サブ基板上の検出部に異常が生じた場合などにはサブ基板の取付け位置の再調整や、サブ基板上の検出部材の交換などが必要となり、その時の作業性は容易なことに越したことは無い。なお、サブ基板をメイン基板に対して垂直に取り付ける従来技術として、上記以外に、特許文献１に記載の「電子機器」と、特許文献２に記載の「電子機器の絶縁ファイバー固定構造」と、特許文献３に記載の「直列ユニット」と、特許文献４に記載の「プリント基板支持構造」がある。
【特許文献１】特開平０６−１６９１８５号公報
【特許文献２】特開平０６−１６４１６６号公報
【特許文献３】特開平０５−１７５６７１号公報
【特許文献４】特開平０８−０８８４８３号公報
【発明の開示】
【発明が解決しようとする課題】
【０００５】
しかしながら、図９に記載の方法の場合は、サブ基板が確実に保持されるものの、サブ基板に無理な力が加わるとともに、部品の実装面積が狭くなるという欠点があった。図１０に記載の方法の場合は、爪の高さが高いため爪の成形加工がしにくいとともに、爪の係合位置までの高さに対して基板の寸法がマイナスしているとガタが発生しやすく、さらには、部品の実装面積が狭くなるという欠点があった。図１１に記載の方法の場合は、図１０の場合に比べて部品の実装面積が広くなるものの、ガタがより大きくなるとともに、爪が短い分、爪先端の可動範囲が小さくなり係合部の寸法が小さくなる欠点があった。
【０００６】
図１２に記載の方法の場合は、サブ基板が確実に保持されるとともに実装面積が広くなるものの、サブ基板をいったん取り付けた後、外す必要が生じた場合にビスを緩めるドライバーの方向が横方向となり、作業が不可能の場合があるという欠点があった。また、カードスロットなどのメカの可動部分の移動やカード自体の移動を検出する検出部をサブ基板に搭載して構成する場合もあり、その場合にはメカの可動部分やカードの移動経路とサブ基板上の検出部との位置合わせが重要となり、メカとサブ基板相互間の精度の高い取付け作業が必要となる。また、メカとサブ基板相互間の位置がズレたり、サブ基板上の検出部に異常が生じた場合などにはサブ基板の取付け位置の再調整や、サブ基板上の検出部材の交換などが必要となり、その時の作業性は容易なことに越したことは無い。
そこで、本発明は、メイン基板に対してサブ基板を垂直に取り付ける場合に、上方からの着脱作業が可能であって、部品の実装面積もさほど損なわれず、ガタが発生しないプリント基板の支持構造を提案するとともに、カードスロットなどのメカの可動部分の移動やカード自体の移動を検出する検出部をサブ基板に搭載して構成する場合に、検出部と被検出部相互間の位置精度を容易に保つ構造の提案することを目的とした発明である。
【課題を解決するための手段】
【０００７】
上記課題を解決するために、本発明に係る基板支持構造は、樹脂成形されたフレーム上に垂直に保持した基板の下端近傍に、フレームと一体構造のカンチレバーを基板と平行に配設し、該カンチレバーの先端近傍にビスを当接して押圧することにより、カンチレバーの先端を基板に係合または押圧して、基板をフレームに固定することを特徴とする。
【０００８】
また、本発明に係る基板支持構造は、樹脂一体成形のフレーム上に基板の端部を抱持し、基板の下端近くに基板およびフレームと平行にフレームと一体構造のカンチレバーを配設し、該カンチレバーの先端近傍の外側のフレームにビスを螺合し、該ビスの頭部をカンチレバーの先端近傍に当接して押圧することにより、カンチレバーの先端を基板に押圧、または基板に形成されている係合部に係合させて、基板をフレームに固定することを特徴とする。
【０００９】
また、本発明に係る基板支持構造は、樹脂一体成形のフレーム上に基板を垂直方向に固定する基板支持構造であって、フレーム上に形成されて基板の下端側の左右端部を抱持する枠部と、基板の下端近くに基板およびフレームと平行に配設されるとともに基端部がフレームに一体支持されたカンチレバーと、該カンチレバーの先端近傍の基板に対して背面側に形成されて上端表面が基板に近づき下端表面が基板から離れる方向に傾斜した傾斜面と、前記カンチレバーの先端側の基板に対向する位置に形成されて係合方向を下方にした爪と、基板の前記爪に対応する位置に形成された係合穴と、前記傾斜面の前下方のフレームに垂直方向に形成された雌ねじ穴と、該雌ねじ穴に螺合されて頭部側面が前記傾斜面に当接して基板側へ押圧するビスと、を備え、基板の下端側の左右端部を枠部により抱持した状態で前記雌ねじ穴に前記ビスを螺合することにより、ビス頭部が前記傾斜面を押圧し基板側へ前進させて前記爪が基板の係合穴に係合して基板をフレームに固定することを特徴とする。
【００１０】
また、本発明に係る基板支持構造は、メイン基板の面上または上方にメイン基板と平行に配設されたフレームに対してサブ基板の下部左右端部を保持しながら垂直にサブ基板を取り付ける基板支持構造において、フレーム上に形成されてサブ基板の下端側の左右端部を抱持する枠部と、サブ基板の下端近くにサブ基板およびフレームと平行に配設されるとともに基端部がフレームに一体支持されたカンチレバーと、該カンチレバーの先端のサブ基板に対して背面側に形成されて上端表面がサブ基板に近づき下端表面がサブ基板から離れる方向に傾斜した傾斜面と、前記カンチレバーの先端側のサブ基板に対向する位置に形成されて係合方向を下方にした爪と、サブ基板の前記爪に対応する位置に形成された係合穴と、前記傾斜面の前下方のフレームに垂直方向に形成された雌ねじ穴と、該雌ねじ穴に螺合されて頭部側面が前記傾斜面に当接してサブ基板側へ押圧するビスと、を備え、サブ基板の下端側の左右端部を枠部により抱持した状態で前記雌ねじ穴に前記ビスを螺合することにより、ビス頭部が前記傾斜面を押圧しサブ基板側へ前進させて前記爪がサブ基板の係合穴に係合してサブ基板をフレームに固定することを特徴とする。
【００１１】
ここで、前記係合穴は非貫通の穴、または溝とすることも可能である。また、前記ビスとして、頭部側面が前記傾斜面の傾斜角度と等しい形状をしたサラビスを用いることも可能である。さらには、前記カンチレバーの断面形状は縦長形状とすることが好ましい。
【００１２】
本発明に係るカードスロットホルダーは、基板保持部と、基板を係合、または押圧するカンチレバーと、カンチレバーを押圧するビスを止めるビス孔と、カードスロット保持部とを有するホルダーを樹脂一体成形したことを特徴とする。
【００１３】
また、本発明に係るカードスロットホルダーは、基板保持部と、基板を係合、または押圧するために基板と平行に配設されたカンチレバーと、カンチレバーの先端近傍に当接して押圧するためのビスを止めるビス孔と、カードスロット保持部とを有するホルダーを樹脂一体成形したことを特徴とする。
【００１４】
また、本発明に係るカードスロットホルダーは、樹脂一体成形のフレーム上に基板の下端側の左右端部を抱持し、基板の下端近くに基板およびフレームと平行にフレームと一体構造のカンチレバーを配設し、該カンチレバーの先端近傍の外側のフレームにビスを螺合し、該ビスの頭部をカンチレバーの先端近傍に当接して押圧することにより、カンチレバーの先端を基板に押圧、または基板に形成されている係合部に係合させて、基板をフレームに固定するとともに、フレーム上にカードスロット保持部を有するホルダーを樹脂一体成形したことを特徴とする。
【００１５】
また、本発明に係るカードスロットホルダーは、樹脂一体成形のフレーム上に形成されて基板の下端側の左右端部を抱持する枠部と、
基板の下端近くに基板およびフレームと平行に配設されるとともに基端部がフレームに一体支持されたカンチレバーと、該カンチレバーの先端近傍の基板に対して背面側に形成されて上端表面が基板に近づき下端表面が基板から離れる方向に傾斜した傾斜面と、前記カンチレバーの先端側の基板に対向する位置に形成されて係合方向を下方にした爪と、基板の前記爪に対応する位置に形成された係合穴と、前記傾斜面の前下方のフレームに垂直方向に形成された雌ねじ穴と、該雌ねじ穴に螺合されて頭部側面が前記傾斜面に当接して基板側へ押圧するビスと、フレーム上にフレームと平行に一体成形されたカードスロット保持部を有するホルダーと、を備え、基板の下端側の左右端部を枠部により抱持した状態で前記雌ねじ穴に前記ビスを螺合することにより、ビス頭部が前記傾斜面を押圧し基板側へ前進させて前記爪が基板の係合穴に係合して基板をフレームに固定することを特徴とする。
【００１６】
また、本発明に係るカードスロットホルダーは、メイン基板の面上または上方にメイン基板と平行に配設されたフレーム上に形成されてサブ基板の下端側の左右端部を抱持する枠部と、サブ基板の下端近くにサブ基板およびフレームと平行に配設されるとともに基端部がフレームに一体支持されたカンチレバーと、該カンチレバーの先端のサブ基板に対して背面側に形成されて上端表面がサブ基板に近づき下端表面がサブ基板から離れる方向に傾斜した傾斜面と、前記カンチレバーの先端側のサブ基板に対向する位置に形成されて係合方向を下方にした爪と、サブ基板の前記爪に対応する位置に形成された係合穴と、前記傾斜面の前下方のフレームに垂直方向に形成された雌ねじ穴と、該雌ねじ穴に螺合されて頭部側面が前記傾斜面に当接してサブ基板側へ押圧するビスと、フレーム上にフレームと平行に一体成形されたカードスロット保持部を有するホルダーと、を備え、サブ基板の下端側の左右端部を枠部により抱持した状態で前記雌ねじ穴に前記ビスを螺合することにより、ビス頭部が前記傾斜面を押圧しサブ基板側へ前進させて前記爪がサブ基板の係合穴に係合してサブ基板をフレームに固定することを特徴とする。
【００１７】
ここで、前記係合穴は非貫通の穴、または溝とすることも可能である。また、前記ビスとして、頭部側面が前記傾斜面の傾斜角度と等しい形状をしたサラビスを用いることも可能である。さらには、前記カンチレバーの断面形状は縦長形状とすることが好ましい。また、前記カードスロット保持部に保持されるカードスロットのカード挿抜方向はフレームと平行にすることが好ましい。さらに、前記カードスロットに近接する基板上にカードの挿抜を検出するスイッチを配設することも可能である。
【００１８】
また、本発明に係る薄型装置は、上述したカードスロットホルダーを、薄型装置本体薄手方向とカードスロットの薄手方向とを合わせるように収納するとともに、カード挿入口を本体端面に開口させたことを特徴とする。
【発明の効果】
【００１９】
以上述べたように本発明によれば、基板の一方の面の下端近くに係合穴を形成するとともに、該係合穴の前方に係合穴と係合可能な爪を前後動自在に支持しておき、前記爪の背面位置のフレームにビスを螺着して、該ビスの頭部を前記爪の背面に当接して爪を係合穴に係合させたことで、基板の着脱作業が簡単になるとともに、係合穴を片側のみに形成すると部品の実装面積の損なわれる分が少なくなる。また、爪が充分に前進して係合するため係合が確実となりガタが発生しなくなる。また、前記フレームにカードスロット保持部を形成してカードスロットを搭載したカードスロットホルダーでは、カードスロットに対する基板の位置が高精度に保持されて、基板上にカードの挿抜を検知するスイッチを配設した場合はスイッチの動作が確実になる。また、このカードスロットホルダーを組み込んだ薄型装置では、スイッチを搭載した基板がフレームの長手方向に垂直になり、例えば薄型装置の後キャビネットを明けた状態でビスの天面が見える状態となり、工具を挿入しての基板位置再調整や基板上のスイッチの交換作業などが容易となり、作業性が向上する。
【発明を実施するための最良の形態】
【００２０】
以下、図に基づいて本発明の実施形態を説明する。
図１〜図４は、ＰＣカードスロットを備えた液晶テレビにおいて、メイン基板の上方に設置されるＰＣカードスロット用フレーム（以下フレーム）を示す斜視図である。図１および図２はサブ基板を装着しない状態を示し、図３および図４はサブ基板を装着した状態を示している。図５はサブ基板が装着されるフレームの部分の平面図であり、図６は図５のＡ−Ａ線断面図である。これらの図において、１は樹脂成形品からなるフレームであり、図示しないメイン基板の上方にメイン基板と平行に配設される。
【００２１】
サブ基板２が装着されるフレーム１の端部には、サブ基板２の左右端部を支持する枠３，４が立設されている。断面Ｌ字形に形成された右側の枠３の端部には、断面縦長形状のカンチレバー５が、フレーム１および装着されるサブ基板２と平行に、サブ基板２の横方向中央部まで突設されている。カンチレバー５の先端裏面（サブ基板２側の面）には、サブ基板２の係合穴２ａと係合するための爪６が突設されている。爪６よりも、カンチレバー５の基端寄りの位置の表面側には、上端がサブ基板２側に近づき下端がサブ基板２から離れる方向に傾斜した傾斜面７が形成されている。
【００２２】
傾斜面７の前下方のフレーム１には、ビス８を螺着するためのビス穴９が垂直方向に形成されている。このように構成されたフレーム１にサブ基板２を装着する場合は、サブ基板２の係合穴２ａを先端側の表面にして、枠３，４に挿入する。ここで、係合穴２ａが、爪６の前方に位置していることを確認して、ビス穴９にビス８を螺挿する。ビス８をねじ込むに従い、ビス８の頭部側面が下降して、傾斜面７に当接する。さらに、ビス８をねじ込むと、傾斜面７が押圧されて、サブ基板２側へ移動して、爪６が係合穴２ａの内部に進入して係合される。次いで、爪６が形成されているカンチレバー５の先端裏面が、サブ基板２の表面に当接したところで、ビス８のねじ込みを終了する。
【００２３】
このようにして、本発明では、サブ基板２が、カンチレバー５の先端の爪６に係合されてフレーム１から抜けなくなるとともに、カンチレバー５の先端裏面がサブ基板２の表面を押圧することで、サブ基板２はさらに強固にフレーム１に固定される。なお、図６では、サブ基板２に形成された係合穴２ａが貫通しているが、貫通させないで、片面だけに溝を形成しておけば、裏面の部品実装面積が損なわれることがない。また、カンチレバー５の断面形状を縦長にして、水平方向の断面係数を垂直方向の断面係数よりも小さくしていることで、傾斜面７がビス８に押圧されたとき、カンチレバー５が水平方向に撓みやすくしている。また、図示例では、ビス８としてなべビスを使用しているが、これを皿ビスにして、皿ビスの頭部側面の傾斜角度と傾斜面７の傾斜角度を同じにして、傾斜面７に加わる荷重を分散させることも可能である。
【００２４】
なお、上述したフレーム１は、液晶テレビにおいて、ＰＣカードスロットが実装されるメイン基板の上面に配置されるものであり、図７および図８が、メイン基板上にフレーム１を配置し、その上にＰＣカードスロットを２段に実装した状態を示す斜視図である。図において、１１はメイン基板であり、その表面にフレーム１が装着されている。フレーム１の上面には、ＰＣカードスロット１２，１３が２段に重ねて装着されている。ＰＣカードスロット１２，１３の側面にはボタン１６，１７の押し込むことでＰＣカードスロット１２，１３の側面に沿って移動する移動バー１８，１９が設けられており、移動バー１８，１９はＰＣカードスロット１２，１３との間隔が違う段差部分を有している。サブ基板２の移動バー１８，１９に対向する位置の手前側側面には、上下２段にマイクロスイッチ１４，１５が取り付けられており、移動バー１８，１９の段差部分を境にＰＣカードスロット１２，１３内にＰＣカードが装填されたことを検出する。
【００２５】
図７はＰＣカード取り出しボタン１６，１７が押し込まれていることを検知している状態であり、図８はＰＣカード取り出しボタン１６，１７が突出していることを検知している状態である。これらマイクロスイッチ１４，１５が取り付けられているサブ基板２は、上述されているように、カンチレバー５とビス８によりフレーム１に固定されている。このサブ基板２のフレーム１への着脱は、ビス８がフレーム１に対して垂直に螺着されているため、フレーム１の上方からのドライバーによる作業で可能である。すなわち、フレーム１にＰＣカードスロット１２，１３が装着された以後であっても、サブ基板２を取り外して、マイクロスイッチ１４，１５を交換することが可能となる。このように、移動バー１８，１９の移動をサブ基板２上のマイクロスイッチ１４，１５で検出する場合は、移動バー１８，１９とサブ基板２上のマイクロスイッチ１４，１５の相互間の位置関係は重要であり、相互間の位置関係にズレが生じると移動バー１８，１９の移動が検出されなかったり、誤検出の原因になる。このように、フレーム１にＰＣカードスロットの実装部とマイクロスイッチ１４，１５を搭載するサブ基板２を一体に構成することで、それぞれの相互位置関係を精度よくたもつことができることになる。
【００２６】
図１３は上述したＰＣカードスロットを搭載したフレーム１を、薄型装置であるところの液晶テレビに組み込んだ実施形態を示す斜視図であり、図１４は図１３の右端を上から見た上面図である。スタンド２１に支持された液晶テレビ本体２２の左右にはスピーカーボックス２３，２４が配置されている。スピーカーボックス２４の右端の背面の後退した側面の裏キャビネット２５の内部には、ＰＣカードスロット（図示せず）が組み込まれており、そのスロット口２６からＰＣカード２７がユーザーにより抜き差しされる。スロット口２６の下端に突設されているのは、ＰＣカード２７を取り出すためのボタン２８である。
【００２７】
液晶テレビ本体２２内に組み込まれたＰＣカードスロットは、液晶テレビ本体２２が薄型形状であるため、画面と平行に液晶テレビ本体２２とＰＣカードスロットの厚み方向を同じにして組み込みがなされ、液晶テレビの薄型化を図っている。このとき、図７および図８におけるビス８の取り付け方向は、液晶テレビ本体２２の厚さ方向の後方からとなり、サブ基板２の着脱が可能かつ容易である。すなわち、ＰＣカードスロットを搭載したフレーム１が液晶テレビ本体２２に組み込まれ後でも、裏キャビネット２５を外せば、ビス８の着脱およびサブ基板２の着脱が可能となり、組立はもちろんその後のサービスの際の作業性が向上する。
【産業上の利用可能性】
【００２８】
本発明は、ＰＣカードスロットなどのメカの可動部分の移動や収容されるメディア自体の移動を検出する検出部をサブ基板に搭載して構成する電子機器以外にも、単純にメイン基板上にサブ基板を垂直に装着する電子回路部を備えたＡＶ機器、その他の電子機器、特に薄型の電子機器への利用が可能である。
【図面の簡単な説明】
【００２９】
【図１】フレームのサブ基板を装着しない状態を示す斜視図である。
【図２】フレームのサブ基板を装着しない状態を示す斜視図である。
【図３】フレームのサブ基板を装着した状態を示す斜視図である。
【図４】フレームのサブ基板を装着した状態を示す斜視図である。
【図５】サブ基板が装着されるフレームの部分の平面図である。
【図６】図５のＡ−Ａ線断面図である。
【図７】フレームにＰＣカードスロットを実装した状態を示す斜視図である。
【図８】フレームにＰＣカードスロットを実装した状態を示す斜視図である。
【図９】従来例を示す斜視図である。
【図１０】従来例を示す斜視図である。
【図１１】従来例を示す斜視図である。
【図１２】従来例を示す斜視図である。
【図１３】ＰＣカードスロットを搭載したフレームを液晶テレビに組み込んだ実施形態を示す斜視図である。
【図１４】図１３の右端を上から見た上面図である。
【符号の説明】
【００３０】
１  フレーム
２  サブ基板
２ａ  係合穴
３  枠
４  枠
５  カンチレバー
６  爪
７  傾斜面
８  ビス
９  ビス穴
１１  メイン基板
１２  ＰＣカードスロット
１３  ＰＣカードスロット
１４  マイクロスイッチ
１５  マイクロスイッチ
１６  ボタン
１７  ボタン
１８  移動バー
１９  移動バー
２１  スタンド
２２  液晶テレビ本体
２３，２４  スピーカーボックス
２５  裏キャビネット
２６  スロット口
２７  ＰＣカード
２８  ボタン
【図１】
2005353941.tif 000003
【図２】
2005353941.tif 000004
【図３】
2005353941.tif 000005
【図４】
2005353941.tif 000006
【図５】
2005353941.tif 000007
【図６】
2005353941.tif 000008
【図７】
2005353941.tif 000009
【図８】
2005353941.tif 000010
【図９】
2005353941.tif 000011
【図１０】
2005353941.tif 000012
【図１１】
2005353941.tif 000013
【図１２】
2005353941.tif 000014
【図１３】
2005353941.tif 000015
【図１４】
2005353941.tif 000016